(57)【要約】【課題】放電ランプの用途を拡大させる。【解決手段】放電ランプが収容される収容部５２と、収容部５２を着脱可能な脚部５６を有する三脚とを備える照明装置に対して、収容部５２は、収容部５２本体を脚部５６に対して着脱する際に把持する筒状の把持部２００と、把持部２００内に形成される雄ネジ部２２０とを有し、脚部５６は、雄ネジ部２２０に螺合する雌ネジ部５７が取り付けられている。【選択図】  図３
2008130415.tif 000002
【特許請求の範囲】
【請求項１】
放電ランプを有する照明部と、
前記照明部を着脱可能な支柱を有する受部とを備える、照明装置であって、
前記照明部は、照明部本体を前記支柱に対して着脱する際に把持する筒状の把持部と、前記把持部内に形成される雄ネジ部とを有し、
前記支柱は、前記雄ネジ部に螺合する雌ネジ部を有する、照明装置。
【請求項２】
前記放電ランプは、希ガス及び金属ハロゲン化物を有する充填物が封入されている放電スペースと、
前記放電スペース内で放電する電極と、
前記放電スペース及び前記電極を覆う透光性を有する第１被覆体と、
前記第１被覆体が取り付けられるキャップと、
前記キャップに対して接続されていて前記第１被覆体を覆う透光性を有する第２被覆体とを備える請求項１記載の照明装置。
【請求項３】
前記把持部は、長手方向に対する直交断面が略Ｌ字状の一対の部材を、結合してなる請求項１記載の照明装置。
【発明の詳細な説明】
【技術分野】
【０００１】
本発明は、照明装置に関し、特に、特に、高圧ガス放電ランプ（ＨＩＤ (high intensity discharge)ランプまたはＵＨＰ(ultra high performance)ランプ）などの放電ランプを備える照明装置に関する。
【背景技術】
【０００２】
従来、例えば、特許文献１には、電源装置を着脱自在に搭載可能な台車と、該台車を移動時に押し引きするための左右一対のハンドルと、上記台車に取付けられた伸縮可能な昇降式の支柱と、該支柱に取付けられた投光用照明ランプとを備えたものにおいて、上記一対のハンドルは上記台車から立設される棒状の支持部を備え、該ハンドルを地面まで倒し接地状態で固定することにより、上記台車の安定支持部を形成することを特徴とする移動式照明装置が開示されている。
【０００３】
この照明装置は、屋外の夜間工事等で使用される、安定性と機動性の高いしかも簡単な照明装置であるとされている。
【０００４】
【特許文献１】特開２００２−２１６５０２号公報
【発明の開示】
【発明が解決しようとする課題】
【０００５】
しかし、従来の照明装置は、ハロゲンランプのように、輝度が相対的に低いランプを用いていた。このため、従来の照明装置は、ランプの数を多くしなければ、所要の照明を実現できなかった。
【０００６】
照明装置のランプ数が多くなると照明装置の上部の重量が増加するので、これに応じて照明装置の安定性を担保するために照明装置の下部の重量を増加させなければならない。これでは、照明装置の総重量が増加するため、照明装置の運搬時の取扱い性に難点があるし、工事現場等での転倒防止のための作業等も必要となる。
【０００７】
そこで、本発明は、上記不都合を回避する照明装置を提供することを課題とする。
【課題を解決するための手段】
【０００８】
上記課題を解決するために、本発明は、
放電ランプを有する照明部と、
前記照明部を着脱可能な支柱を有する受部とを備える、照明装置であって、
前記照明部は、照明部本体を前記支柱に対して着脱する際に把持する筒状の把持部と、前記把持部内に形成される雄ネジ部とを有し、
前記支柱は、前記雄ネジ部に螺合する雌ネジ部を有する。
本発明の一例を、図３を用いて説明すると、照明部であるところの収容部５２は、収容部５２本体を脚部５６に対して着脱する際に把持する筒状の把持部２００と、把持部２００内に形成される雄ネジ部２２０とを有する。三脚の脚部５６は、雄ネジ部２２０に螺合する雌ネジ部５７が取り付けられている。このような構成は、放電ランプを用いることによって構成できる。また、雄ネジ部２２０と雌ネジ部５７とを備えることで、三脚と照明部とを容易に連結することが可能となる。
【０００９】
前記放電ランプは、希ガス及び金属ハロゲン化物を有する充填物が封入されている放電スペースと、
前記放電スペース内で放電する電極と、
前記放電スペース及び前記電極を覆う透光性を有する第１被覆体と、
前記第１被覆体が取り付けられるキャップと、
前記キャップに対して接続されていて前記第１被覆体を覆う透光性を有する第２被覆体とを備える。
【００１０】
前記把持部は、長手方向に対する直交断面が略Ｌ字状の一対の部材を、結合してなる。
【００１１】
なお、前記第２被覆体と前記第１被覆体とのスペースに対する放熱機構を有するとよい。また、前記第１又は第２被覆体は、前記電極の放電に起因して前記放電スペースで発生する紫外線を吸収する紫外線吸収体を有するとよい。さらに、本発明の放電ランプの使用方法は、前記電極の放電時に当該キャップを下側とするとよい。
【発明を実施するための形態】
【００１２】
以下、本発明の実施形態について、図面を参照して説明する。なお、各図において、同様の部分には同一符号を付している。
図１（ａ）は、本発明の実施形態の照明装置に用いられる高輝度放電ランプ１の模式的な外観図である。図１（ｂ）は、図１（ａ）の図面右側から見た図である。図１には、アルゴンなどの希ガス、及び、ナトリウム又はタンタルなどを含む金属ハロゲン化物を有する充填物が封入されている放電スペース１６が示されている。放電スペース１６内には、相互に対向する位置に電極１８が設けられている。電極１８の一方は正極、他方が負極に接続される。電極１８の材料は、タングステンなどとすることができる。
【００１３】
電極１８には、そこに電流を供給するタングステン・シリサイドなどから成る供給線２０が接続されている。供給線２０の一部は、ゴムチューブ、セラミックなどの被覆筒２２などで覆われている。供給線２０のうち被覆筒２２が取り付けてられていない部分と、放電スペース１６と、電極１８とが、略円筒状の硬質ガラス体１４で覆われている。硬質ガラス体１４は、透光性を有する、サファイアなどを材料としている。なお、放電スペース１６等の形状、レイアウト等は例示であり、図1に示すものに限定されない。例えば、放電スペース１６を略球とし、電極１８を図面左右方向に取り付けるようにしてもよい。
【００１４】
硬質ガラス体１４の端面には、外部がプラスチック製のキャップ１０（たとえば、Ｒ７ランプキャップ）が取り付けられている。キャップ１０の上面には、硬質ガラス体１４を受ける台座１２が取り付けられている。また、キャップ１０の内部から底面にかけて、供給線２０と接続されるコネクタ電極が設けられている。高輝度ランプ１には、当該コネクタ電極を通じて、例えば８５Ｖの電圧、３５Ｗの電力が印加される。
【００１５】
キャップ１０の側面には、硬質ガラス体１４の長手方向に対して直交方向に延びる庇部２４が形成されている。庇部２４には、硬質ガラス体１４及び被覆筒２２等を覆う軟質ガラス体２６が、接着剤２８などによって接続されている。軟質ガラス体２６についても、透光性を有するシリカ、酸化アルミニウム、二酸化ホウ素などを主成分に用いることができる。なお、軟質ガラス体２６を、硬質ガラス体に代えてもよい。
【００１６】
軟質ガラス体２６の形状は、典型的な白熱電球のガラス球と略同形状としている。ここで、軟質ガラス体２６の丈（庇部２４の上面から上端までの長さ）はたとえば６５〜６９ｍｍ、最大直径はたとえば５４〜５８ｍｍとすることができる。あるいは、丈を小さくして例えば５５〜６０ｍｍ又は大きくして例えば９５〜１００ｍｍ、最大直径を小さくして例えば３８〜４２ｍｍ又は大きくして例えば９３〜９７ｍｍとすることもできる。軟質ガラス体２６は、電極１８に対して最も近い位置で、２ｃｍ以上の距離を空けている。この距離は、軟質ガラス体２６表面温度をより低下させるために、好ましくは２．５ｃｍ以上、より好ましくは３．０ｃｍ以上とすればよい。もっとも、軟質ガラス体２６のサイズは、放電スペース１６等のサイズ、使用時の温度等に応じて決定すればよい。
【００１７】
本実施形態に係る高輝度放電ランプ１は、軟質ガラス体２６を備えているため、堅牢性を有しており、用途に自由度が生じる。さらに、高輝度放電ランプ１を用いると、発電機を使用することによる、騒音、排気ガスなどを抑制できるので、環境破壊の防止にも寄与することになる。
【００１８】
この高輝度放電ランプ１に対して、１３．５ＶのＤＣ電圧を印加し、印加後３０分経過して電極周辺の温度を測定したところ、図面のＡ点で約１４０度、Ｂ点で約１００度であった。また、軟質ガラス体２６のサイズを上記の小さいものとした場合には、図面のＡ点で約２００度、Ｂ点で約１４０度であった。一方、大きいものとした場合には、図面のＡ点で約１００度、Ｂ点で約７０度であった。
【００１９】
軟質ガラス体２６或いは硬質ガラス体１４の内面又は外面には、電極１８の放電に起因して放電スペース１６で発生する紫外線を吸収する紫外線吸収体が塗布されている。このため、人体及び周辺の電気機器などに対する、紫外線が及ぼす悪影響を除去している。
【００２０】
庇部２４の径方向の幅は、軟質ガラス体２６の厚みよりも大きく確保してある。さらに、庇部２４には、貫通部３０が形成されている。貫通部３０は、軟質ガラス体２６と硬質ガラス体１４との間のスペースに対する放熱部として機能する。なお、軟質ガラス体２６のたとえばＡ点付近を開口したり、キャップ１０にヒートシンクを取り付けたりして、放熱効果を更に高めてもよい。
【００２１】
ここで、接着剤２８は、貫通部３０が埋められないように塗布してある。接着剤２８は、自然硬化型、熱硬化型又は紫外線硬化型樹脂など種々のものを用いることができるが、貫通部３０を埋めないように、硬化前にペースト状のものを用いるとよい。ただし、軟質ガラス体２６の熱膨張を考慮して、シリコン系接着剤などのように伸縮性に富んだ接着剤、軟質ガラス体２６の熱膨張係数（約９４×１０−７〜９６×１０−７／℃）に近い熱膨張係数（約９０×１０−７／℃〜１００×１０−７／℃）の接着剤を用いるとよい。
【００２２】
図２は、図１に示す高輝度ランプ１が取り付けられた照明装置の模式的な構成図である。この種の照明装置は、屋内外問わず使用でき、特に、工事現場、露店、花火大会会場、夜釣り時の海・河川、キャンプ地、地震等が発生した被災地などで好適に用いることができる。
【００２３】
図２には、アルミニウム、鉄などから成る、複数（例えば３つ）の脚部５８と、脚部５８の上端等に接続されている柱部５６とを備える三脚（受部）５９を示している。
【００２４】
三脚５９には、高輝度放電ランプ１等が収容される収容部５２が連結される。収容部５２は、収容部５２本体を三脚５９に対して着脱する際に把持する筒状の把持部２００が底面に設けられている。把持部２００は、長手方向（図面上下方向）に対する直交断面が略Ｌ字状の一対の部材を、溶接または接着剤などを用いて結合することで構成している。把持部２００の外側面には、図示しない電源コード、ＡＣ−ＤＣコンバータ、その他付属品などを係止する係止部２１０が設けられている。
【００２５】
また、収容部５２には、高輝度ランプ１の側面を覆う、合成樹脂体５０が、ネジ止めなどによって取り付けられる。
【００２６】
合成樹脂体５０は、高輝度ランプ１を風雨から保護でき、又は、高輝度ランプ１から発せられる光を外部に対して和らげて放射できるものが好ましい。このため、本実施形態では、プラスチック、塩化ビニール、アルミニウム、ポリプロピレンなどで、合成樹脂体５０を製造している。なお、合成樹脂体５０は、略円筒状のものを図示しているが、たとえば、多角形柱状のものとしてもよい。
【００２７】
図３は、図２に示す照明装置の三脚５９と収容部５２とを取り外した状態を示す拡大図である。
【００２８】
三脚５９の柱部５６には、上部に雌ネジ部５７が取り付けられている。雌ネジ部５７は、プラスチック製などのキャップと、当該キャップに内包されているナットなどの雌ネジとを含む。一例として、雌ネジ部５７は、金型等に雌ネジを設置された状況で、当該金型にプラスチックを流し込むことで作成する。
【００２９】
一方、収容部５２の把持部２００内には、雄ネジ部２２０が形成されている。したがって、三脚５９に対して収容部５２を取り付ける場合には、柱部５６に把持部２００を被せた状態で、把持部２００を回転させればよい。こうすると、雌ネジ部５７と雄ネジ部２２０とが螺合し、三脚５９に対して収容部５２を容易に取り付けすることができる。
【００３０】
なお、収容部５２には、高輝度放電ランプ１のほかに、バラスト６８が収容される。高輝度放電ランプ１は、載置台８０によって例えばバラスト６８の上部に配置される。また、合成樹脂体５０の内側上面中央には、凸部５１が形成されている。凸部５１を形成することによって、照明装置の組み立て前のように、合成樹脂体５０を積み上げて保管等しておいても、合成樹脂体５０の側面の接触面積が増加することに伴って、これらが相互に外れにくくなるという状態が防止できるという効果がある。
【００３１】
図４は、図２に示す収容部５２の模式的な斜視図である。収容部５２内のバラスト６８は、高輝度放電ランプ１に対して所要の電圧を印加するものである。収容部５２の底面などには、バラスト６８で発生する熱を外部に放出するための開口部（図示せず）が形成されている。この開口部とともに又はこれに代えて、収容部５２の内部に、ペルチェ効果素子を備えたり、冷却ファン及び当該冷却ファンを回転させるモータを備えたりしてもよい。さらには、バラスト６８自体を、バラスト受けなどにより、収容部５２に直接接触しないように中空設置してもよい。また、高輝度ランプ１とバラスト６８との間又は収容部５２の底面などに断熱板を取り付けて、バラスト６８で発生した熱が高輝度ランプ１又は外部に対して伝わらないようにしてもよい。
【００３２】
なお、バラスト６８は、例えばＡＣアダプタを介して商用電源に接続してもよいし、図示しない電源ケーブルなどを介して車載バッテリなどのＤＣ１２Ｖ又はＤＣ２４Ｖのバッテリ電源に接続してもよい。こうすると、照明装置を、地震等が発生した被災地でも好適に用いることができる。典型的には、照明装置からの光で、ヘリコプターの着陸帯を照らせば、被災地への援助物資の空輸が夜間でも行いやすくなる。
【００３３】
また、本実施形態では、バラスト６８として、例えば、小糸製作所のバラスト＆スタータＡＳＳＹ（商品名）を用いている。バラスト６８は、約１２Ｖ又は約２４ＶのＤＣ電圧を約８５Ｖまで昇圧する。バラスト６８による昇圧電圧は、高輝度ランプ１に供給される。
【００３４】
図４に示すように、バラスト６８には、上記昇圧電圧を高輝度ランプ１に供給するための電圧線６２の一端が接続されている。電圧線６２の他端には、高輝度ランプ１を受ける凹部を含むソケット６４が取り付けられている。ソケット６４は、キャップ１０が下側となる態様で受けられるように、高輝度ランプ載置体６６の上部に取り付けられている。
【００３５】
ここで、電極１８の放電時には、図1に示した放電スペース１６が発熱する。この結果、放電スペース１６を基準にして、これよりも上部が下部に対して相対的に熱くなる。このため、使用時にキャップ１０が上側となるようにすると、キャップ１０が熱により、損傷および劣化する。そこで、本実施形態では、キャップ１０が使用時に下側となるようにして、比重が相対的に軽いガス化充填物がキャップ１０に向けて進行することを防止している。
【００３６】
本発明は、上述した実施例に限定されず、添付の特許請求の範囲に記載されている内容の代替の実施例も含まれることに、留意されたい。すなわち、本発明は、図示される各部材の形状、数量、材料などは例示であり、これらに限定されるものではない。
【産業上の利用可能性】
【００３７】
本発明は、建築業、建築業、土木業、災害復旧などの各種産業において利用することが可能である。
【図面の簡単な説明】
【００３８】
【図１】本発明の実施形態の高輝度放電ランプ１の模式的な外観図である。
【図２】図１に示す高輝度ランプ１が取り付けられた照明装置の模式的な構成図である。
【図３】図２に示す照明装置の三脚５９と収容部５２とを取り外した状態を示す拡大図である。
【図４】図２に示す収容部５２の模式的な斜視図である。
【符号の説明】
【００３９】
１  高輝度ランプ
１０  キャップ
１２  台座
１４  硬質ガラス体
１６  放電スペース
１８  電極
２０  供給線
２２  被覆筒
２４  庇部
３０  貫通部
２６  軟質ガラス体
２８  接着剤
【図１】
2008130415.tif 000003
【図２】
2008130415.tif 000004
【図３】
2008130415.tif 000005
【図４】
2008130415.tif 000006